(57)【要約】無線インターネット接続中継器とその方法が開示されている。使用者端末機が陰影地域に居る場合、無線インターネット接続中継器は、第1通信方式の信号を第1周波数帯で無線インターネット接続網から受信し。受信信号は、第２通信方式のフォーマットに変換され、第２周波数帯の信号として処理されて、使用者端末機に送られる。中継器は、第２通信方式の信号を第２周波数帯で使用者端末機から受信し、受信信号を第１通信方式のフォーマットに変換し、変換された信号を第１通信方式の信号として第１周波数帯で処理して、これらを無線インターネット接続網に送る。従って、使用者は無線インターネット・サービスとマルチメディア・サービスを、 陰影地域における同一周波数信号間の干渉を受けることなく、享受できる。【選択図】      図１
2006528454.tif 000002
【特許請求の範囲】
【請求項１】
無線インターネット接続網と使用者端末器との間で前記使用者端末器の無線インターネット接続を中継する装置において、
前記無線インターネット接続網と第１通信方式で信号を送受信する第１送受信部；
前記使用者端末器と第２通信方式で信号を送受信する第２送受信部；及び
前記第１送受信部から入力される第１通信方式の信号に含まれているデータを、第２通信方式によるフォーマットで処理した後に前記第２送受信部に伝達し、前記第２送受信部から入力される第２通信方式の信号に含まれているデータを、第１通信方式によるフォーマットで処理した後に前記第１送受信部に伝達するＭＡＣ（media  access  control）変換管理部；
を含む無線インターネット接続中継装置。
【請求項２】
前記ＭＡＣ変換管理部を制御して、前記第１及び第２通信方式により伝達される信号の送受信中継を制御する動作制御部をさらに含む、請求項１に記載の無線インターネット接続中継装置。
【請求項３】
前記ＭＡＣ変換管理部は、
前記第１又は第２送受信部によって受信される信号に含まれているデータフレームのヘッダー情報により、同一データフレームの順序情報を管理するフレーム監視部；
前記データフレームを、伝送しようとする通信方式に相当するＭＡＣ構造に応じたフォーマットに変換するフレーム処理部；
前記伝送されるデータフレームの変調率及びビット率を前記通信方式により調節するチャンネル調整部；及び
前記設定された変調率及びビット率に応じてデータ伝送速度を調節する待機管理部；
を含む、請求項１に記載の無線インターネット接続中継装置。
【請求項４】
前記ＭＡＣ変換管理部は、
前記第２送受信部を通じて受信された信号に含まれているデータフレームに対してチャンネルを割り当てるチャンネル割当部；及び
前記チャンネル割当情報及びチャンネル状態を管理するチャンネル管理部；
をさらに含む、請求項３に記載の無線インターネット接続中継装置。
【請求項５】
前記ＭＡＣ変換管理部と前記第１送受信部との間で前記データフレームの伝達を中継する第１ＭＡＣ処理部；及び
前記ＭＡＣ変換管理部と前記第２送受信部との間で前記データフレームの伝達を中継する第２ＭＡＣ処理部；
をさらに含む、請求項１に記載の無線インターネット接続中継装置。
【請求項６】
前記使用者端末器は、第１通信方式による第１周波数帯域の信号を送受信する第１モード、及び第２通信方式による第２周波数帯域の信号を送受信する第２モードで動作する、請求項１に記載の無線インターネット接続中継装置。
【請求項７】
前記第１通信方式は無線インターネット接続サービス方式であり、前記第２通信方式は無線ＬＡＮサービス方式である、請求項１に記載の無線インターネット接続中継装置。
【請求項８】
前記第１通信方式は、２.３ＧＨｚ携帯インターネットサービスによる通信方式である、請求項７に記載の無線インターネット接続中継装置。
【請求項９】
前記無線インターネット接続中継装置は陰影地域に居る、請求項１に記載の無線インターネット接続中継装置。
【請求項１０】
無線インターネット接続網と使用者端末器との間で前記使用者端末器の無線インターネット接続を中継する方法において、
ａ）前記無線インターネット接続網から送信される第１通信方式による第１周波数帯域の信号を受信する段階；
ｂ）受信した信号を第２通信方式によるフォーマットに変換する段階；
ｃ）前記変換された信号を、前記第２通信方式による第２周波数帯域の信号として処理して、前記使用者端末器に送信する段階；
ｄ）前記使用者端末器から送信される第２通信方式による第２周波数帯域の信号を受信する段階；
ｅ）受信した信号を第１通信方式によるフォーマットに変換する段階；及び
ｆ）前記変換された信号を、前記第１通信方式による第１周波数帯域の信号として処理して、前記無線インターネット接続網に送信する段階；
を含む無線インターネット接続中継方法。
【請求項１１】
前記第１通信方式は無線インターネット接続サービス方式であり、前記第２通信方式は無線ＬＡＮサービス方式である、請求項１０に記載の無線インターネット接続中継方法。
【請求項１２】
前記ｂ）段階は、
前記第１通信方式による信号に含まれているデータフレームのヘッダー情報を分析して、同一データフレームが順に処理されるようにする段階；
前記データフレームを第２通信方式によるＭＡＣ構造に相当するフォーマットに変換した後、これを臨時貯蔵所に貯蔵する段階；及び
前記第２通信方式による信号として伝達するために変調率及びビット率を調整し、前記設定された変調率及びビット率に応じて前記貯蔵されたデータフレームを出力する段階；
を含む、請求項１０に記載の無線インターネット接続中継方法。
【請求項１３】
前記ｅ）段階は、
前記第２通信方式による信号に含まれているデータフレームのヘッダー情報を分析して、同一データフレームが順に処理されるようにする段階；
前記データフレームを第１通信方式によるＭＡＣ構造に相当するフォーマットに変換した後、これを臨時貯蔵所に貯蔵する段階；
前記データフレームに対してチャンネルを割り当てる段階；及び
前記第１通信方式による信号として伝達するために変調率及びビット率を調整し、設定された変調率及びビット率の差により伝送速度を調節しながらデータフレームを割り当てられたチャンネルに出力する段階；
を含む、請求項１０に記載の無線インターネット接続中継方法。
【請求項１４】
前記無線インターネット接続中継方法は、陰影地域に居る使用者端末器の無線インターネット接続を中継することを特徴とする、請求項１０に記載の無線インターネット接続中継方法。
【請求項１５】
使用者端末器が無線インターネット接続網に接続する方法において、
ａ）前記使用者端末器が第１モードで動作して、第１通信方式により無線インターネット接続網に接続する段階；
ｂ）前記第１通信方式により送信された信号の受信状態に応じて、陰影地域に居るか否かを判断する段階；
ｃ）前記端末器が陰影地域に居ると判断されれば、第１通信方式と第２通信方式の相互転換を支援する中継装置を探索する段階；及び
ｄ）前記使用者端末器が第２モードで動作して、前記第２通信方式により前記中継装置を通じて無線インターネット接続網に接続する段階；
を含む無線インターネット接続方法。
【請求項１６】
前記第１通信方式は無線インターネット接続サービス方式であり、前記第２通信方式は無線ＬＡＮサービス方式である、請求項１５に記載の無線インターネット接続方法。
【請求項１７】
前記第１通信方式は、２.３ＧＨｚ携帯インターネットサービスによる通信方式である、請求項１６に記載の無線インターネット接続方法。
【発明の詳細な説明】
【技術分野】
【０００１】
本発明は中継装置及びその方法に係り、より詳しくは、無線インターネット接続を中継する装置及びその方法に関するものである。
【背景技術】
【０００２】
無線通信技術の発展に伴い、使用者が移動又は停止状態で無線端末器を利用して無線網を通じ、インターネットサービスを始めとしたビデオ及びオーディオなどのマルチメディアサービスにアクセスして所定情報を享受できるようにする無線インターネットサービスが提供されていている。
【０００３】
通常、使用者は、無線端末器を利用して停止又は移動状態で無線インターネット網からインターネットサービス を享受できるが、このようなサービスは、移動通信、ＩＭＴ-２０００、携帯インターネット、及び今後の第４世代移動通信などの多様な無線接続環境で高速の伝送速度で多様な情報とコンテンツを利用できるようにするものである。
【０００４】
無線ＬＡＮ（WLAN：wireless local area network）の場合、低廉な料金で無線超高速インターネットを利用できるという長所があるが、特定地域においてだけ使用できるものであって、移動性に限界があり、特定地域当り加入者が数十人に限定されるという短所がある。
【０００５】
しかし、移動通信、ＩＭＴ-２０００、携帯インターネット、及び今後の第４世代移動通信などの無線網が、多数の基地局配置によって都市全体をカバーするとしても、大型建物の地下空間及び高層ビルの内部ではサービス提供が不能な陰影地域（blank  area）が発生する。このような陰影地域の発生により、使用者は無線インターネットサービスを受けることができないという問題点がある。
【０００６】
このために、従来は中継機を使って、サービスを受けられるカバレージを拡張させていた。しかし従来の中継機は、基地局の弱い信号を増幅して転送する方式で動作するため、基地局と中継機との間の中継周波数とサービス周波数が同一であり、中継機内部で発振現象が発生したり信号間の干渉が発生する。
【発明の開示】
【発明が解決しようとする課題】
【０００７】
本発明が目的とする技術的課題は、従来の問題点を解決するためのものであって、陰影地域でも信号間の干渉なしで、無線インターネット接続中継を通じたインターネットサービスを始めとして、ビデオやオーディオなどのマルチメディアサービスを享受できるようにすることにある。
【課題を解決するための手段】
【０００８】
本発明の特徴による無線インターネット接続中継装置は、無線インターネット接続網と使用者端末器との間で前記使用者端末器の無線インターネット接続を中継する装置であり、前記無線インターネット接続網と第１通信方式で信号を送受信する第１送受信部；前記使用者端末器と第２通信方式で信号を送受信する第２送受信部；及び前記第１送受信部から入力される第１通信方式の信号に含まれているデータを第２通信方式によるフォーマットで処理した後に前記第２送受信部に伝達し、前記第２送受信部から入力される第２通信方式の信号に含まれているデータを第１通信方式によるフォーマットで処理した後に前記第１送受信部に伝達するＭＡＣ（media  access  control）変換管理部；を含む。その他にも、前記ＭＡＣ変換管理部を制御して、前記第１及び第２通信方式により伝達される信号の送受信中継を制御する動作制御部をさらに含むことができる。
【０００９】
ここで、前記ＭＡＣ変換管理部は、前記第１又は第２送受信部によって受信される信号に含まれているデータフレームのヘッダー情報に応じて、同一データフレームの順序情報を管理するフレーム監視部；前記データフレームを、伝送しようとする通信方式に相当するＭＡＣ構造に応じたフォーマットに変換するフレーム処理部；前記伝送されるデータフレームの変調率及びビット率を前記通信方式により調節するチャンネル調整部；及び前記設定された変調率及びビット率に応じてデータ伝送速度を調節する待機管理部；を含むことができる。その他にも、前記ＭＡＣ変換管理部は、前記第２送受信部を通じて受信された信号に含まれているデータフレームに対してチャンネルを割り当てるチャンネル割当部；及び前記チャンネル割当情報及びチャンネル状態を管理するチャンネル管理部；をさらに含むことができる。
【００１０】
また、本発明の他の特徴による無線インターネット接続中継方法は、無線インターネット接続網と使用者端末器との間で、前記使用者端末器の無線インターネット接続を中継する方法であり、ａ）前記無線インターネット接続網から送信される第１通信方式による第１周波数帯域の信号を受信する段階；ｂ）受信された信号を第２通信方式によるフォーマットに変換する段階；ｃ）前記変換された信号を前記第２通信方式による第２周波数帯域の信号として処理して、前記使用者端末器に送信する段階；ｄ）前記使用者端末器に送信される第２通信方式による第２周波数帯域の信号を受信する段階；ｅ）受信された信号を第１通信方式によるフォーマットに変換する段階；及びｆ）前記変換された信号を、前記第１通信方式による第１周波数帯域の信号として処理して、前記無線インターネット接続網に送信する段階；を含む。
【００１１】
前記ｂ）段階は、前記第１通信方式による信号に含まれているデータフレームのヘッダー情報を分析して、同一データフレームが順に処理されるようにする段階；前記データフレームを第２通信方式によるＭＡＣ構造に相当するフォーマットに変換した後、これを臨時貯蔵所に貯蔵する段階；及び前記第２通信方式による信号として伝達するために変調率及びビット率を調整し、前記設定された変調率及びビット率に応じて前記貯蔵されたデータフレームを出力する段階；を含むことができる。
【００１２】
また、前記ｅ）段階は、前記第２通信方式による信号に含まれているデータフレームのヘッダー情報を分析して、同一データフレームが順に処理されるようにする段階；前記データフレームを第１通信方式によるＭＡＣ構造に相当するフォーマットに変換した後、これを臨時貯蔵所に貯蔵する段階；前記データフレームに対してチャンネルを割り当てる段階；及び前記第１通信方式による信号として伝達するために変調率及びビット率を調整し、設定された変調率及びビット率の差により伝送速度を調節しながらデータフレームを割り当てられたチャンネルに出力する段階；を含むことができる。
【００１３】
このような特徴を有する本発明で、前記使用者端末器は、第１通信方式による第１周波数帯域の信号を送受信する第１モード、及び第２通信方式による第２周波数帯域の信号を送受信する第２モードで動作することができる。
また、本発明の他の特徴による無線インターネット接続方法は、ａ）前記使用者端末器が第１モードで動作して、第１通信方式により無線インターネット接続網に接続する段階；ｂ）前記第１通信方式により送信された信号の受信状態によって、陰影地域に居るか否かを判断する段階；ｃ）前記端末器が陰影地域に居ると判断されれば、第１通信方式と第２通信方式の相互転換を支援する中継装置を探索する段階；及びｄ）前記使用者端末器が、前記中継装置を通じて第２モードで動作して、第２通信方式により無線インターネット接続網に接続する段階；を含む。
【００１４】
このような特徴を有する本発明において、前記第１通信方式は無線インターネット接続サービス方式であり、前記第２通信方式は無線ＬＡＮサービス方式であることができる。
【発明の効果】
【００１５】
本発明の実施例によれば、使用者はどこに居ても無線インターネット接続網を利用したインターネットサービスを享受できる。
特に、陰影地域でも無線インターネット接続網と使用者端末器との間で互いに異なる通信方式を利用した信号及びデータの送受信が行われることにより、同一周波数を有する信号間の干渉などが除去されて、使用者は陰影地域でも容易に無線インターネットサービスを享受できる。
【発明を実施するための最良の形態】
【００１６】
以下、添付した図面を参照して、本発明の実施例について本発明が属する技術分野で通常の知識を有する者が容易に実施できるように詳しく説明する。しかし、本発明は色々な相違した形態で実現でき、ここで説明する実施例に限られるものではない。
図１に、本発明の実施例による無線インターネット接続中継の概念が示されており、図２に、このような無線インターネット接続中継のための網構造が示されている。
【００１７】
添付した図１に示されているように、本発明の実施例による無線インターネット接続中継装置は、使用者が陰影地域でも無線インターネットサービスを利用することができるように、無線インターネット接続網とは第１通信方式により信号を送受信し、使用者端末器とは第２通信方式により信号を送受信する。特に、無線インターネット接続網と使用者端末器との間で互いに異なる通信方式により信号を中継するために、各方式により送受信された信号のＭＡＣフレームを、他の方式に合うように変換しながら、フレーム同期を管理及び制御する。ここで、第１通信方式は無線インターネット接続サービスに相当する通信方式であることができ、第２通信方式は無線ＬＡＮサービス（以下、無線ＬＡＮと記す）に相当する通信方式であることができる。ここで、無線インターネット接続サービスは、移動通信、ＩＭＴ-２０００、携帯インターネット、及び今後開発可能な次世代移動通信などで提供する無線インターネット接続サービスである。しかし、本発明による第１及び第２通信方式は、前記のものに限られるものではない。
【００１８】
このために、図２に示すように、本発明の実施例による無線インターネット接続中継装置１００は無線インターネット接続網２００に連結されており、また、多数の使用者端末器３００に連結されている。
無線インターネット接続網２００は、多数の基地局２１０と、基地局制御機２２０、そして交換装置２３０を含み、端末器３００からのセッション連結申請によりパケットデータサービスを提供する。無線インターネット接続網２００の基地局２１０、基地局制御機２２０、そして交換装置２３０のインターネットサービス提供技術は既に公知された技術であるので、ここでは詳細な説明を省略する。
【００１９】
本発明の実施例による使用者端末器３００は第１モード又は第２モードで動作する。具体的に、使用者端末器３００は、第１モードで動作して、第１通信方式により送信される信号を受信して、無線インターネット接続網２００を通した無線インターネットサービスの提供を受けることができる。また、使用者端末器３００は、第２モードで動作して第２通信方式で送信される信号を受信し、中継装置１００を通じて、無線インターネット接続網２００から無線インターネットサービスの提供を受けることができる。このようにデュアルモードで動作する本実施例による使用者端末器３００は、無線ＬＡＮカードを備えている。無線ＬＡＮカードの構造も公知のものであるので詳細な説明は省略する。
【００２０】
図３に、このような端末器に対する無線インターネット接続を中継する本発明の実施例による無線インターネット接続中継装置１００の構造が示されている。
添付した図３に示されているように、本発明の実施例による無線インターネット接続中継装置１００は、無線インターネット接続網２００との信号送受信のためのドナー（donner）アンテナ１０、ドナーアンテナ１０を通じた信号送受信を遂行する第１送受信部２０、使用者端末器３００との送受信のためのサービスアンテナ３０、サービスアンテナ３０を通じた信号送受信を遂行する第２送受信部４０、第１送受信部２０を通じて送受信されるデータフレームを処理する第１ＭＡＣ処理部５０、第２送受信部４０を通じて送受信されるデータフレームを処理する第２ＭＡＣ処理部６０、データフレームのフォーマットを第１通信方式又は第２通信方式により変換し、チャンネルを管理するＭＡＣ変換管理部７０、及び中継動作を全体的に制御する動作制御部８０を含む。
【００２１】
ここで、第１送受信部２０は、ドナーアンテナ１０を通じて受信される無線インターネット接続網２００から転送された順方向信号を処理して使用者端末器３００に送信する順方向信号処理部として動作することができる。特に、本発明の実施例で第１送受信部２０は、第１通信方式による周波数帯域で無線インターネット接続網２００の基地局２１０と信号を送受信する。第２送受信部４０は、サービスアンテナ３０を通じて受信される使用者端末器３００からの逆方向信号を処理して無線インターネット接続網２００の基地局２１０に送信する逆方向信号処理部として動作することができ、特に、使用者端末器３００と第２通信方式による周波数帯域で信号を送受信する。
【００２２】
図４に、ＭＡＣ変換管理部７０の具体的な構造が示されている。本発明の実施例によるＭＡＣ変換管理部７０は、送受信されるデータフレームのヘッダー情報により同一データフレームの順序情報を管理するフレーム監視部７１、データフレームを、伝送しようとする通信方式に相当するＭＡＣ構造に応じた形態に変換するフレーム処理部７２、伝送されるデータフレームの変調率及びビット率を通信方式に応じて調節するチャンネル調整部７３、設定された変調率及びビット率に応じてデータ伝送速度を調節する待機管理部７４、使用者端末器３００に対してチャンネルを割り当てるチャンネル割当部７５、前記チャンネル割当情報及びチャンネル状態を管理するチャンネル管理部７６を含む。
【００２３】
このような構造に基づいて、本発明の実施例による無線インターネット接続中継装置の動作について説明する。
本発明の実施例において、使用者端末器３００は、陰影地域以外の地域では第１モードで動作し、周期的に基地局２１０から伝送されるパイロット信号検知を試みながら受信及び送信待機状態を維持する。この時、使用者端末器３００は、無線インターネット接続網２００から伝達される第１通信方式による信号を受信し、また、第１通信方式により信号を無線インターネット接続網２００に送信して、無線インターネット接続網２００を通じてインターネット４００に接続して無線インターネットサービスの提供を受けるようになる。
【００２４】
このような状態で、使用者端末器３００が基地局２１０からのサービス可能地域から陰影地域などのサービス不能地域に移動すると、使用者端末器３００は第２モードで動作しながら、本発明の実施例による無線インターネット接続中継装置１００（以下、中継装置と記す）に接続するようになる。この場合、使用者端末器３００は、第１通信方式による信号の受信状態に応じて、陰影地域に居るか否かを判断することができる。例えば、端末器３００は、前記第１通信方式により受信された信号の値が所定値以下である場合には陰影地域に居ると判断し、第２モードで動作して中継装置１００に接続する。この時、端末器３００は、陰影地域である場合、まず、中継装置１００を探索し、中継装置１００が探索された場合には第２モードで動作することもできる。
【００２５】
図５に、本発明の実施例による無線インターネット接続中継装置の動作が示されている。
無線インターネット接続網２００から伝達される第１通信方式、例えば、２.３ＧＨｚ携帯インターネットサービスによる信号は、中継装置１００のドナーアンテナ１０によって受信され、第１送受信部２０は、受信された無線インターネット接続網２００の基地局２１０からの高周波信号を、例えば、低周波信号に変換した後、サービス周波数帯域のみを通過させて第２送受信部４０に提供する。したがって、第２送受信部４０は、提供された信号を第２通信方式、例えば、無線ＬＡＮサービスによる周波数帯域の信号に変換し、これを増幅させた後、サービスアンテナ３０を通じて使用者端末器３００に送信する。したがって、使用者端末器３００は、内部に装着された無線ＬＡＮカードを通じて中継装置１００から伝送される第２通信方式による信号を受信するようになる。このような方式により、無線インターネット接続網２００から送信された信号が使用者端末器３００に伝達される（Ｓ１００〜Ｓ２００）。
【００２６】
その後、使用者端末器３００がパイロット信号を検知した後、ページングチャンネルを通じてパケットデータを要請すれば、端末器３００からの信号がサービスアンテナ３０によって受信されて第２送受信部４０に伝達される。第２送受信部４０は、サービスアンテナ３０を通じて受信された第２通信方式による信号を、前記の第１送受信部２０と同様に低周波信号に変換し、当該帯域の信号のみをフィルタリングした後で第１送受信部２０に伝達する。次に、第１送受信部２０は、伝達される信号を第１通信方式の周波数帯域に変換した後、ドナーアンテナ１０を通じて基地局２１０に送信する（Ｓ３００）。
【００２７】
基地局２１０によって受信された信号は、基地局制御機２２０を通じて交換装置２３０に伝達され、交換装置２３０で使用者端末器３００とのパケットデータ通信のためのチャンネルを割り当てて、基地局２１０と使用者端末器３００との間にパケットデータ通信（つまり、インターネットサービス）が行われる（Ｓ４００）。
【００２８】
第１通信方式により基地局２１０から伝達されるデータパケットは、中継装置１００のドナーアンテナ１０及び第１送受信部２０によって受信されて処理された後、第１ＭＡＣ処理部５０に伝達され、第１ＭＡＣ処理部５０は伝達されたデータパケットをＭＡＣ変換管理部７０に提供する。その後、ＭＡＣ変換管理部７０は、動作制御部８０の制御により入力されるデータフレームのフォーマットを、第２通信方式によるフォーマットに変換する。
【００２９】
具体的に、ＭＡＣ変換管理部７０のフレーム監視部７１は、第１ＭＡＣ処理部５０から入力されるデータフレームのヘッダー情報を分析して、同一データフレームが順に処理されるようにし、フレーム処理部７２は、データフレームを、第２通信方式によるＭＡＣ構造に相当するフォーマットに変換した後、これを待機管理部７４の臨時貯蔵所に貯蔵する。その後、チャンネル調整部７３は、第１通信方式により送信された信号を第２通信方式による信号として伝達するために変調率及びビット率を調整し、従って、待機管理部７４は、第１及び第２通信方式の変調率及びビット率の差により伝送速度を調節しながら、データフレームを第２ＭＡＣ処理部６０に出力する（Ｓ５００）。
【００３０】
第２ＭＡＣ処理部６０に伝達された第２通信方式フォーマットのデータフレームは、第２送受信部４０によって第２通信方式による周波数帯域の信号として処理されて、使用者端末器３００に伝送される。
したがって、使用者端末器３００は、陰影地域でも、基地局から伝送されるデータを信号干渉なしで容易に提供されることができる。
【００３１】
その後、使用者端末器３００に伝送される第２通信方式によるデータフレームは、サービスアンテナ３０及び第２送受信部４０によって受信された後、第２ＭＡＣ処理部６０によってＭＡＣ変換管理部７０に伝達され、第１通信方式によるフォーマットに変換されて、基地局２１０に伝送される。
【００３２】
つまり、ＭＡＣ変換管理部７０のフレーム監視部７１は、第２ＭＡＣ処理部６０から入力されるデータフレームのヘッダー情報を分析して、同一データフレームが順に処理されるようにし、フレーム処理部７２は、データフレームを、第１通信方式によるＭＡＣ構造に相当するフォーマットに変換した後、これを待機管理部７４の臨時貯蔵所に貯蔵する。その後、チャンネル割当部７５は、使用者端末器３００から転送されたデータフレームに対するチャンネルを割り当て、チャンネル調整部７３は、第２通信方式により送信された信号を第１通信方式による信号として伝達するために変調率及びビット率を調整する。このために、待機管理部７４は、第１及び第２通信方式の変調率及びビット率の差に応じて伝送速度を調節しながら、データフレームを第１ＭＡＣ処理部５０に出力する。したがって、互いに異なる通信方式間にデータフレーム同期化が行われる（Ｓ６００）。
【００３３】
第１ＭＡＣ処理部５０に伝達された第１通信方式のフォーマットのデータフレームは、第１送受信部２０によって第１通信方式による周波数帯域（例えば、２.３ＧＨｚ）の信号として処理され、無線インターネット接続網２００に伝送される。
このような方式によって、無線インターネット接続網２００と使用者端末器３００との間で互いに異なる通信方式を利用した信号及びデータの送受信が行われることにより、同一周波数信号間の干渉などが除去されると共に、使用者は、陰影地域でも容易に無線インターネットサービスの提供を受けるようになる（Ｓ７００）。
【００３４】
前記の実施例では、無線インターネット接続中継装置が第２通信方式により使用者端末器３００と信号を送受信することのみを説明したが、これとは異なって、使用者端末器３００と第１通信方式により信号を送受信することもできる。つまり、前記中継装置が互いに異なる通信方式により使用者端末器と信号を送受信できるデュアル機能を有することができる。このような技術は、前記の実施昔から容易に考案可能なものであるので、ここでは詳細な説明を省略する。
【００３５】
以上、本発明の好ましい実施例について詳細に説明したが、本発明の権利範囲はこれに限定されるものではなく、特許請求の範囲で定義している本発明の基本概念を利用した当業者の色々な変形及び改良形態もまた本発明の権利範囲に属する。
【図面の簡単な説明】
【００３６】
【図１】本発明の実施例による無線インターネット接続中継の概念図である。
【図２】本発明の実施例による無線インターネット接続中継のための網構造図である。
【図３】本発明の実施例による無線インターネット接続中継装置の構造図である。
【図４】図３に示されたＭＡＣ変換管理部の細部構造図である。
【図５】本発明の実施例による無線インターネット接続中継装置の動作フローチャートである。
【図１】
2006528454.tif 000003
【図２】
2006528454.tif 000004
【図３】
2006528454.tif 000005
【図４】
2006528454.tif 000006
【図５】
2006528454.tif 000007
【国際調査報告】
2006528454.tif 000008
2006528454.tif 000009